(57)【要約】【課題】角度を調整する手段に無理な力が加わることなく、外枠の円滑な角度調整を行なう。【解決手段】外枠Ａの上枠杆１３に、一対のガイド部材１７，１７が配設される。各ガイド部材１７に、後方に向けて所定長さで突出する軸部１９が突設される。設置枠台１１の上板部２１に、一対の取付部材２２，２２が配設される。各取付部材２２に、傾斜調整部材２６が回動可能に枢支される。傾斜調整部材２６に、ガイド部材１７の軸部１９が挿通可能な孔部３２が形成される。ガイド部材１７の軸部１９を傾斜調整部材２６の孔部３２に挿通した状態で、外枠Ａの角度調整を行なう。このとき、傾斜調整部材２６が取付部材２２に対して回動することで、ガイド部材１７、取付部材２２および傾斜調整部材２６に無理な力が加わることなく、円滑な角度調整が行なわれる。【選択図】　図１
2004135974.tif 000002
【特許請求の範囲】
【請求項１】
設置枠台に対し、遊技機の外枠を所要の傾斜姿勢で取付ける取付装置であって、
前記設置枠台の上部側に配設される取付部材と、
前記取付部材に対して左右方向を軸とする前後方向への角度調整が可能に配設されると共に、前記外枠の上部側が固定される傾斜調整部材と、
前記取付部材に対して傾斜調整部材を任意の角度位置で位置決め固定する固定手段とを備え、
前記傾斜調整部材を取付部材に対して角度調整することで、前記外枠を設置枠台に対して傾斜姿勢で取付けるよう構成した
ことを特徴とする遊技機の取付装置。
【請求項２】
設置枠台に対し、遊技機の外枠を所要の傾斜姿勢で取付ける取付装置であって、
前記設置枠台の上部側に配設される取付部材と、
前記取付部材に対して左右方向を軸とする前後方向への角度調整が可能に配設される傾斜調整部材と、
前記取付部材に対して傾斜調整部材を任意の角度位置で位置決め固定する第１の固定手段と、
前記傾斜調整部材に形成されて前後方向に延在する孔部と、
前記外枠の上部側に配設され、前記孔部に挿脱可能に挿通される軸部が突設されたガイド部材と、
前記孔部に挿通された軸部を傾斜調整部材に対して位置決め固定する第２の固定手段とから構成した
ことを特徴とする遊技機の取付装置。
【請求項３】
設置枠台に対し、遊技機の外枠を所要の傾斜姿勢で取付ける取付装置であって、
前記設置枠台の上部側に配設される取付部材と、
前記取付部材に対して左右方向を軸とする前後方向への角度調整が可能に配設される傾斜調整部材と、
前記取付部材に対して傾斜調整部材を任意の角度位置で位置決め固定する第１の固定手段と、
前記傾斜調整部材に対し、前後方向への移動が規制された状態で回転可能に配設された微調整部材と、
前記微調整部材に形成されて前後方向に延在する螺子孔部と、
前記外枠の上部側に配設され、前記螺子孔部に挿脱可能な軸部に該螺子孔部に螺合する螺子部が設けられたガイド部材とからなり、
前記傾斜調整部材の角度調整および微調整部材を回転させることによる前記螺子孔部と螺子部との螺合作用に基づいて、前記ガイド部材と共に外枠の上部側を前後方向に移動させるよう構成した
ことを特徴とする遊技機の取付装置。
【請求項４】
前記ガイド部材の軸部に、前後方向に所定間隔で目盛が付されている請求項２または３記載の遊技機の取付装置。
【発明の詳細な説明】
【０００１】
【発明の属する技術分野】
この発明は、遊技機の取付装置に関し、更に詳細には、縦向き状態で遊技に供されてゲーム領域内にパチンコ球を打出してゲームを展開し得る型式の遊技機において、その外枠を設置枠台に対して任意の傾斜姿勢で取付ける遊技機の取付装置に関するものである。
【０００２】
【従来の技術】
この種の遊技機の代表例の一つであるパチンコ機では、複数本（４本）の枠杆部材を互いに枠組み補強結合して所定縦長方形サイズの直角枠状に製作された固定用の外枠が、一般に「島」とも呼ばれている設置枠台において、一定開口広さに区画成形された各々の枠内毎に縦向きに収納されて、上端部が下端部に対して後方となる所定の後傾角度で取付けられる。そして、この外枠の前面側に各種の遊技構成部材を装備セットした前枠が組付けられて、内部の遊技盤を適正な傾倒状態に保持して遊技に供するようになっている。
【０００３】
前記外枠の設置に際しては、設置枠台の下台板部の全長に亘り設定された水平基準縁に対して、各々の枠内に収納される外枠の下端前縁を位置決め（基準合わせ）して台板部側にくぎ等を用いて固定する一方、ひも等による水平補助線や傾き測定具等を利用して、外枠の上端部を後方へ所定量（一般に長さ単位の何分何厘とも呼ばれている所要長さ分）変位させて設置枠台の上板部側に固定して、外枠全体を所要の後傾角度（例えば１〜１．５度位）に設定保持して取付けられている。
【０００４】
前記設置枠台に対する外枠を適正な傾斜姿勢で取付けるには、前記ひもや傾き測定具等を利用したとしても、その固定化にはくぎ等を用いているため、外枠を適正な姿勢に保持したもとで固定するには熟練された技術が必要とされる。そこで、設置枠台の上板部に溝型材を固定すると共に、該溝型材に対して前後進退動可能な滑り子を外枠の上枠杆部材に固定し、溝型材に螺挿された角度調整ねじにより滑り子を進退動することで、設置枠台に対する外枠の角度調整を行なう遊技機の取付装置が提案されている（例えば、特許文献１）。
【０００５】
【特許文献１】
登録実用新案第３０２３３２０号公報
【０００６】
【発明が解決しようとする課題】
しかしながら、前記取付装置では、滑り子を進退動する角度調整ねじは、設置枠台の前面と平行な鉛直面に対して直交する前後方向に移動するよう構成されている。しかるに、設置枠台に対して外枠の上枠杆部材は、下枠杆部材の設置枠台に対する固定部を支点とする円弧軌跡上を移動するため、直線的に前後動する角度調整ねじには調整時に無理な力が加わり、円滑な調整ができなかったり、ねじ山が潰れる等の難点が指摘される。
【０００７】
【発明の目的】
本発明は、前述した従来の技術に内在している前記課題に鑑み、これを好適に解決するべく提案されたものであって、角度を調整する手段に無理な力が加わることなく、外枠の円滑な角度調整が可能な遊技機の取付装置を提供することを目的とする。
【０００８】
【課題を解決するための手段】
前述した課題を克服し、所期の目的を好適に達成するため、本発明に係る遊技機の取付装置は、
設置枠台（１１）に対し、遊技機（Ｐ）の外枠（Ａ）を所要の傾斜姿勢で取付ける取付装置であって、
前記設置枠台（１１）の上部側に配設される取付部材（２２）と、
前記取付部材（２２）に対して左右方向を軸とする前後方向への角度調整が可能に配設されると共に、前記外枠（Ａ）の上部側が固定される傾斜調整部材（２６）と、
前記取付部材（２２）に対して傾斜調整部材（２６）を任意の角度位置で位置決め固定する固定手段（２９，３０）とを備え、
前記傾斜調整部材（２６）を取付部材（２２）に対して角度調整することで、前記外枠（Ａ）を設置枠台（１１）に対して傾斜姿勢で取付けるよう構成したことを特徴とする。
【０００９】
前述した課題を克服し、所期の目的を好適に達成するため、本願の別の発明に係る遊技機の取付装置は、
設置枠台（１１）に対し、遊技機（Ｐ）の外枠（Ａ）を所要の傾斜姿勢で取付ける取付装置であって、
前記設置枠台（１１）の上部側に配設される取付部材（２２）と、
前記取付部材（２２）に対して左右方向を軸とする前後方向への角度調整が可能に配設される傾斜調整部材（２６）と、
前記取付部材（２２）に対して傾斜調整部材（２６）を任意の角度位置で位置決め固定する第１の固定手段（２９，３０）と、
前記傾斜調整部材（２６）に形成されて前後方向に延在する孔部（３２）と、
前記外枠（Ａ）の上部側に配設され、前記孔部（３２）に挿脱可能に挿通される軸部（１９）が突設されたガイド部材（１７）と、
前記孔部（３２）に挿通された軸部（１９）を傾斜調整部材（２６）に対して位置決め固定する第２の固定手段（３５）とから構成したことを特徴とする。
【００１０】
前述した課題を克服し、所期の目的を好適に達成するため、本願の更に別の発明に係る遊技機の取付装置は、
設置枠台（１１）に対し、遊技機（Ｐ）の外枠（Ａ）を所要の傾斜姿勢で取付ける取付装置であって、
前記設置枠台（１１）の上部側に配設される取付部材（２２）と、
前記取付部材（２２）に対して左右方向を軸とする前後方向への角度調整が可能に配設される傾斜調整部材（２６）と、
前記取付部材（２２）に対して傾斜調整部材（２６）を任意の角度位置で位置決め固定する第１の固定手段（２９，３０）と、
前記傾斜調整部材（２６）に対し、前後方向への移動が規制された状態で回転可能に配設された微調整部材（３６，４１）と、
前記微調整部材（３６，４１）に形成されて前後方向に延在する螺子孔部（３６ａ，４１ａ）と、
前記外枠（Ａ）の上部側に配設され、前記螺子孔部（３６ａ，４１ａ）に挿脱可能な軸部（１９）に該螺子孔部（３６ａ，４１ａ）に螺合する螺子部（４０）が設けられたガイド部材（１７）とからなり、
前記傾斜調整部材（２６）の角度調整および微調整部材（３６，４１）を回転させることによる前記螺子孔部（３６ａ，４１ａ）と螺子部（４０）との螺合作用に基づいて、前記ガイド部材（１７）と共に外枠（Ａ）の上部側を前後方向に移動させるよう構成したことを特徴とする。
【００１１】
また、前記の取付装置において、前記ガイド部材（１７）の軸部（１９）に、前後方向に所定間隔で目盛（２０）を付すようにしてもよい。
【００１２】
【作用】
請求項１記載の発明では、設置枠台に配設された取付部材に対して、外枠の上部側が固定された傾斜調整部材を前後方向に角度調整したもとで、該傾斜調整部材を取付部材に固定手段で位置め固定することで、前記外枠が設置枠台に対して傾斜姿勢で取付けられる。
【００１３】
また請求項２記載の発明では、設置枠台に配設された取付部材に対して前後方向への角度調整が可能に配設された傾斜調整部材の孔部に、外枠の上部側に配設されたガイド部材の軸部を挿通する。そして、取付部材に対して傾斜調整部材を前後方向に角度調整することで外枠を傾斜させたもとで、該傾斜調整部材を取付部材に第１の固定手段で位置決め固定すると共に、傾斜調整部材に対してガイド部材の軸部を第２の固定手段で位置決め固定することで、前記外枠が設置枠台に対して傾斜姿勢で取付けられる。
【００１４】
更に請求項３記載の発明では、設置枠台に配設された取付部材に対して前後方向への角度調整が可能に配設された傾斜調整部材に設けられた微調整部材の螺子孔部に、外枠の上部側に配設されたガイド部材の軸部を挿通すると共に、該軸部に設けられた螺子部を螺子孔部に螺合する。そして、取付部材に対して傾斜調整部材を前後方向に角度調整すると共に、微調整部材の回転による螺子孔部と螺子部との螺合作用に基づいて外枠の上部側を傾斜させることで、前記外枠が設置枠台に対して傾斜姿勢で取付けられる。
【００１５】
なお、ガイド部材の軸部に目盛を付した場合は、該目盛を利用して外枠の傾斜角度の調整を容易に行ない得る。
【００１６】
【発明の実施の形態】
次に、本発明に係る遊技機の取付装置につき、好適な実施例を挙げて、添付図面を参照しながら以下詳細に説明する。なお、実施例の取付装置は、遊技機としてのパチンコ機、アレンジボール機等に好適に実施可能とされるものであるが、実施例では主にパチンコ機を例に挙げて説明することとする。
【００１７】
【第１実施例】
図１および図３に示す第１実施例に係る取付装置１０により設置枠台（通称「島」）１１に取付けられるパチンコ機Ｐの概略構成につき、図２を参照して簡単に説明する。すなわち、パチンコ機Ｐは、縦長方形に枠組み形成された外郭保持枠をなす外枠Ａの前側開口面に、各種の遊技構成部材用の搭載セット枠をなす前枠Ｂが、開閉連結支持手段を利用して開閉および着脱可能に組付けられている。そしてこの前枠Ｂの前側各部に、ガラス扉Ｃ、上，下の球受け皿Ｄ，Ｅおよび打球操作部Ｆ等が夫々装備され、また前枠Ｂの正面内部に、各種の入賞器具や案内部品等を含む所要のゲーム領域を構成した遊技盤Ｇが着脱交換可能に収容セットされている。そして、遊技ホール内等での実施に際しては、設置枠台１１における各収容枠部１２に、前記外枠Ａが所定の後傾起立状態で固定保持されたもとで、前枠Ｂが組付けセットされて遊技に供されるようになっている。
【００１８】
前記パチンコ機Ｐにおいて、前記外枠Ａは、図１に例示するように、上辺を構成する上枠杆１３と、左右の辺を構成する側枠杆１４，１４および下辺を構成する下枠杆１５とを互いに枠組み補強結合して、平行度および直角度が維持された所定方形サイズの縦長直角枠に構成されている。そして下枠杆１５が、その下端前縁を設置枠台１１の下台板部１６の前端縁に整合するよう基準位置合わせされた状態で、該下枠杆１５が下台板部１６にくぎ等により打止め固定されるようになっている。
【００１９】
前記外枠Ａの上部側である上枠杆１３には、第１実施例の取付装置１０を構成する一対のガイド部材１７，１７が左右幅方向に離間して配設されている。各ガイド部材１７は、図３に示す如く、略逆Ｌ字状に形成された固定部１８が、その水平部１８ａを上枠杆１３の上面に当接すると共に、その垂直部１８ｂを上枠杆１３の後面に当接した状態で、着脱可能にネジ止め固定される。また固定部１８の垂直部１８ｂには、後方に向けて所定長さで突出する軸部１９が突設され、該軸部１９が、取付装置１０を構成する後述の傾斜調整部材２６に形成されている孔部３２に挿脱可能に挿通されるよう構成される。なお、軸部１９には、その軸方向（前後方向）に所定間隔で目盛２０が付されており、該目盛２０を利用して孔部３２に対する軸部１９の挿入量（外枠Ａの傾斜角度）を調整し得るようになっている。
【００２０】
前記設置枠台１１の上部側である上板部２１には、第１実施例の取付装置１０を構成する一対の取付部材２２，２２が、前記外枠Ａに配設された一対のガイド部材１７，１７と対応して左右幅方向に離間して配設されている。各取付部材２２は、図４に示す如く、下方に開放するコ字状に形成された支持部２３と、該支持部２３における前端縁において上方に向けて略直角に折曲形成された固定片２４とからなり、該固定片２４には、上下方向に延在する一対の長孔２４ａ，２４ａが左右に離間して形成されている。そして、固定片２４を上板部２１の後面に当接した状態で、各長孔２４ａに挿通したネジ（図示せず）を上部板２１にネジ込むことで、該取付部材２２は上板部２１に対して着脱可能に固定されるようになっている（図３参照）。なお、固定片２４を介して取付部材２２を上板部２１に固定した状態で、前記支持部２３は、該上板部２１から垂下して収容枠部１２内に臨むよう設定される。また取付部材２２は、長孔２４ａの形成範囲内で、上板部２１に対する固定位置を変更し得るよう構成される。
【００２１】
前記取付部材２２の支持部２３における左右両側板２３ａ，２３ａには、外枠Ａの下台板部１６に対する固定部位を支点として、前記ガイド部材１７が回動する円弧軌跡に沿う円弧状のガイド孔２３ｂ，２３ｂが形成されている。また取付部材２２の支持部２３における左右両側板２３ａ，２３ａの間には、前記ガイド孔２３ｂ，２３ｂの円弧中心位置に設けられた支持孔２３ｃに配設されて左右方向に延在する枢支ピン２５を介して、傾斜調整部材２６が前後方向への回動可能に枢支されている（図６，図７参照）。この傾斜調整部材２６は、図４または図５に示す如く、枢支ピン２５が挿通される軸孔２７ａが穿設された本体部２７の後側に、挟持部２８が連設されている。また本体部２７には、軸孔２７ａの穿設位置から離間する上方位置に固定用ネジ２９が、該軸孔２７ａと平行に設けられた固定用ネジ孔２７ｂに配設され、該固定用ネジ２９における本体部２７から左右両側に突出する各端部が、前記取付部材２２の対応する各ガイド孔２３ｂに挿通されている。すなわち、取付部材２２に対して傾斜調整部材２６は、左右方向に延在する枢支ピン２５を軸として、ガイド孔２３ｂの形成範囲内で前後方向に回動可能に配設される。そして、固定用ネジ２９の両側板２３ａ，２３ａから外方に延出する両端部にナット３０，３０を螺合して締付けることで、該傾斜調整部材２６は両側板２３ａ，２３ａで挟持されて、所定角度で位置決め固定されるようになっている。第１実施例では、固定用ネジ２９とナット３０，３０とから固定手段または第１の固定手段が構成される。
【００２２】
前記傾斜調整部材２６の本体部２７に対して挟持部２８は、上部側に配設された連結部３１を介してのみ連結されて、本体部２７に対し独立して軸部１９を挟持するよう構成される。本体部２７および挟持部２８には、前記連結部３１より下方の位置に、前記ガイド部材１７の軸部１９が前側から挿通可能な孔部３２が、前後方向に延在すると共に該傾斜調整部材２６を貫通するよう形成されている。また挟持部２８は、図５に示す如く、孔部３２に連通して下方に延在するよう形成されたスリット３３を挟む左右両側に挟持片２８ａ，２８ａが形成され、後述する第２の固定手段により両挟持片２８ａ，２８ａを近接することで、孔部３２に挿通されている軸部１９を位置決め固定するよう構成される。なお、挟持部２８における孔部３２の上側に、該孔部３２に連通する切欠き３４が形成されており、孔部３２に対する軸部１９の固定をより強固にし得るようにしてある。
【００２３】
図５（ｂ）に示す如く、前記一方の挟持片２８ａには左右方向に貫通する通孔２８ｂが穿設されると共に、他方の挟持片２８ａには、前記通孔２８ｂと整列して左右方向に貫通するネジ孔２８ｃが形成されている。そして、ハンドル３５ａにネジ軸３５ｂを一体に設けられた固定具（第２の固定手段）３５の該ネジ軸３５ｂが、通孔２８ｂに挿通された後にネジ孔２８ｃに螺挿されるよう構成される。すなわち、ハンドル３５ａを介してネジ軸３５ｂを所定方向に回転することで、ネジ軸３５ｂとネジ孔２８ｃとの螺合作用下に、一対の挟持片２８ａ，２８ａが近接して、前記孔部３２に挿通されている軸部１９を両挟持片２８ａ，２８ａにより挟持固定し得るようになっている。
【００２４】
【第１実施例の作用】
次に、第１実施例に係る取付装置の作用につき説明する。前記設置枠台１１に対して外枠Ａを設置する際には、図１および図３に示す如く、先ず設置枠台１１における上板部２１の後側に、一対の取付部材２２，２２をネジ止め固定すると共に、外枠Ａの上枠杆１３の後側に対応して一対のガイド部材１７，１７をネジ止め固定する（何れのネジも図示せず）。このとき、前記第１の固定手段を構成するナット３０，３０を弛めて、前記各取付部材２２に対して傾斜調整部材２６を夫々回動可能な状態としておく。更に、第２の固定手段としての固定具３５を弛めて、前記孔部３２に軸部１９が挿通可能な状態としておく。
【００２５】
次いで、前記各ガイド部材１７の後方に突出する軸部１９を、図６に示す如く、対応する取付部材２２に配設されている傾斜調整部材２６の孔部３２に前側から挿通する。この状態で、外枠Ａの下枠杆１５を、設置枠台１１の下台板部１６に対して基準位置合わせして、くぎ等により打止め固定する。また外枠Ａの上枠杆１３を、前記軸部１９に付された目盛２０を利用して、下枠杆１５と下台板部１６との固定部位を支点として後方へ正確に傾斜させたもとで、前記ナット３０，３０を締付けて取付部材２２に対して傾斜調整部材２６を位置決め固定すると共に、前記固定具３５のネジ軸３５ｂを締込んで傾斜調整部材２６に対する軸部１９の位置決め固定を行なう。これにより、外枠Ａ全体が所要の傾斜角度に設定保持されたもとで、設置枠台１１に固定される（図８参照）。なお、外枠Ａの角度調整は、適宜の測定用具（図示しない）を利用して行なってもよい。
【００２６】
前記外枠Ａの角度調整に際し、該外枠Ａに配設したガイド部材１７の軸部１９が孔部３２に挿通されている傾斜調整部材２６は、取付部材２２に対して回動可能に配設されているから、図７に示す如く、外枠Ａを傾斜させる際には、取付部材２２に対して傾斜調整部材２６が回動しつつ、孔部３２に対して軸部１９が進退移動する。従って、ガイド部材１７、取付部材２２および傾斜調整部材２６には無理な力が加わることなく、円滑な角度調整を行ない得る。また軸部１９に付された目盛２０を利用することで、別途測定用具を用いることなく外枠Ａの角度調整を容易に行なうことができる。
【００２７】
第１実施例の取付装置１０では、前記傾斜調整部材２６の孔部３２に挿通した軸部１９を、一対の挟持片２８ａ，２８ａで挟持して摩擦力により強固に固定ができるから、取付装置自体を単純構造として小型化が可能となる。
【００２８】
ここで、前記設置枠台１１に設置されたパチンコ機Ｐに対し、前側からの衝撃による荷重が加わることがあるが、その荷重は、前記ガイド部材１７における軸部１９の傾斜調整部材２６の孔部３２への挿入方向に対して傾斜した方向に作用し、該ガイド部材１７を真っ直ぐ後ろに押す方向に荷重が加わることは殆どない。すなわち、前述したような荷重がパチンコ機Ｐに加わった場合は、前記ガイド部材１７における軸部１９の外周面が、傾斜調整部材２６における孔部３２の内周面に押付けられるように作用することとなり、その荷重により軸部１９の孔部３２に対する挿入量が変化するのは抑制され、外枠Ａの傾斜角度が変化するのを防止し得る。
【００２９】
【第２実施例】
図９および図１０は、第２実施例に係る取付装置を示すものであって、基本的な構成は前述した実施例と同一であるので、異なる部分についてのみ説明し、同一部材には同じ符号を付して示すこととする。
【００３０】
すなわち、第２実施例に係る取付装置１０では、前記傾斜調整部材２６の前側（本体部２７における挟持部２８が連設される側とは反対の側）には、前後方向への移動が規制された状態で回転可能に微調整部材３６が配設されている。この微調整部材３６は、中心部に前後方向に延在するよう貫通する螺子孔部３６ａが形成された六角ナット状を呈すると共に、その後端には小径円筒状の挿入部３６ｂが突設されており、該微調整部材３６が、ホルダ３７およびネジ部材３８を介して傾斜調整部材２６に配設される。ホルダ３７は、前記微調整部材３６の挿入部３６ｂが前方から挿脱可能な内径に設定された円筒状を呈し、該ホルダ３７の後端部内周には、内側に突出するフランジ３７ａが形成されている（図１０参照）。またネジ部材３８は、前記ホルダ３７に前側から挿脱可能な円盤状の規制板３８ａに、前記ガイド部材１７の軸部１９が挿脱可能な通孔３８ｂが穿設されると共に、該通孔３８ｂを挟む左右両側の位置に、後方に向けて延出する一対のネジ軸３８ｃ，３８ｃが平行に配設されている。
【００３１】
前記ネジ部材３８は、図１０に示す如く、その規制板３８ａをホルダ３７に前側から挿入してフランジ３７ａで前後方向への位置規制がなされた状態で、両ネジ軸３８ｃ，３８ｃが該ホルダ３７から後方に延出するよう構成される。また前記微調整部材３６は、前記挿入部３６ｂをホルダ３７に前側から挿入した状態で、図示しないネジを介して該ホルダ３７に対して抜止めされると共に一体的に回動可能に配設される。そして、この状態で、前記ネジ部材３８とホルダ３７とは、相対的に回動可能に構成されている。
【００３２】
前記傾斜調整部材２６には、図９に示す如く、前記孔部３２を挟む左右両側に、前記ネジ部材３８におけるネジ軸３８ｃ，３８ｃが挿脱可能な通孔３９，３９が穿設されており、前記ホルダ３７から後方に延出する一対のネジ軸３８ｃ，３８ｃが、対応する通孔３９，３９に前側（本体部２７側）から挿通される。そして、ネジ軸３８ｃ，３８ｃに螺合される図示しないナットによりネジ部材３８を傾斜調整部材２６に位置決め固定することで、前記微調整部材３６およびホルダ３７は、傾斜調整部材２６に対して前後方向への移動がネジ部材３８により規制された状態で、正逆方向への回転は可能に配設されるようになっている。
【００３３】
前記ガイド部材１７における軸部１９には、前記微調整部材３６の螺子孔部３６ａに螺合可能な螺子部４０が所定長さ範囲で設けられており、該螺子部４０を螺子孔部３６ａに螺合したもとで、微調整部材３６を正逆方向に回転することで、螺子孔部３６ａと螺子部４０との螺合作用に基づいて、傾斜調整部材２６の孔部３２に対する軸部１９の挿入量が可変するよう構成される。なお、前記軸部１９における前記挟持部２８に対応する孔部３２に臨む位置には螺子部４０は設けられておらず、該軸部１９の挟持部２８による位置決め固定は確実に行なわれるようになっている。
【００３４】
【第２実施例の作用】
次に、第２実施例に係る取付装置の作用につき、前記第１実施例と異なる部分についてのみ説明する。前記ナット３０，３０および固定具３５を弛めて、前記各取付部材２２に対して傾斜調整部材２６を回動可能な状態とし、また前記孔部３２に軸部１９が挿通可能な状態としたもとで、前記各ガイド部材１７の後方に突出する軸部１９を、対応する取付部材２２の傾斜調整部材２６に取付けられている微調整部材３６の螺子孔部３６ａに前側から挿通すると共に該傾斜調整部材２６の孔部３２にも挿通する。そして、軸部１９の螺子部４０を微調整部材３６の螺子孔部３６ａに螺合したもとで、該微調整部材３６を所定方向に回転して孔部３２に対する軸部１９の挿入量を、ある程度調整して前記外枠Ａを略鉛直姿勢とする。この状態で、外枠Ａの下枠杆１５を、前記設置枠台１１の下台板部１６に対して基準位置合わせして、くぎ等により打止め固定する。
【００３５】
次いで、前記微調整部材３６を所定方向に更に回転して孔部３２に対する軸部１９の挿入量を、前記目盛２０を利用して調整することで、前記外枠Ａの上枠杆１３が後方へ移動し、該外枠Ａは後傾姿勢となる。このとき、前述したと同様に傾斜調整部材２６が取付部材２２に対して回動することで、ガイド部材１７、取付部材２２および傾斜調整部材２６には無理な力が加わることなく、円滑な角度調整が行なわれる。そして、外枠Ａが適正な後傾姿勢となった状態で、前記ナット３０，３０および固定具３５を用いて取付部材２２に対する傾斜調整部材２６の位置決め固定および傾斜調整部材２６に対する軸部１９の位置決め固定を行なう。これにより、外枠Ａ全体が所要の傾斜角度に設定保持されたもとで、設置枠台１１に固定される。
【００３６】
第２実施例においては、前記傾斜調整部材２６に配設した微調整部材３６を正逆回転することで外枠Ａの角度調整を行ない得るから、該角度調整がより簡単になる。また、微調整部材３６の螺子孔部３６ａと軸部１９の螺子部４０とが螺合しているから、その螺合状態では軸部１９が孔部３２に対して容易には進退移動することはない。すなわち、第２実施例においては、微調整部材３６の螺子孔部３６ａと軸部１９の螺子部４０とが、傾斜調整部材２６に対してガイド部材１７の軸部１９を位置決め固定する第２の固定手段としても機能する。従って、傾斜調整部材２６に配設されている前記固定具３５を省略することが可能となる。
【００３７】
なお、第２実施例のように微調整部材３６の螺子孔部３６ａと軸部１９の螺子部４０とを螺合させる構成では、その螺合状態においては前記孔部３２から軸部１９が抜けることはないから、前記外枠Ａの設置枠台１１に対する設置作業に際して作業者が外枠Ａを離しても該外枠Ａが設置枠台１１から脱落することはなく、作業安全性が向上する。
【００３８】
【第３実施例】
図１１は、第３実施例に係る取付装置の要部を示すものであって、基本的な構成は前述した実施例と同一であるので、異なる部分についてのみ説明し、同一部材には同じ符号を付して示すこととする。なお、第３実施例の取付装置は、前記傾斜調整部材２６に対して微調整部材３６を前後方向への移動が規制された状態で回転可能に配設する手段が、第２実施例とは異なっているものである。
【００３９】
すなわち、第３実施例に係る取付装置１０の微調整部材４１は、中心部に前後方向に延在するよう貫通する螺子孔部４１ａが形成された六角ナット状を呈し、その後端に小径で円筒状の連結部４１ｂが突設されると共に、該連結部４１ｂの後端には、連結部４１ｂより大径で六角ナット状の規制部４１ｃが突設されている。これに対し、前記傾斜調整部材２６の本体部２７には、その前面側に連結部４１ｂの挿通を許容する下方に開放する開口部４２が開設されると共に、該開口部４２の後部には、前記規制部４１ｃの挿通を許容する下方に開放する規制溝部４３が形成されている。そして、開口部４２および規制溝部４３に対して微調整部材４１の対応する連結部４１ｂおよび規制部４１ｃを下方から挿通した状態で、該規制部４１ｃが規制溝部４３を画成する前後面に当接することで、当該微調整部材４１の傾斜調整部材２６に対する前後方向への移動が規制されるよう構成される。
【００４０】
なお、前記規制溝部４３の内径寸法は、前記規制部４１ｃの外径寸法より大きく設定され、該規制溝部４３内において規制部４１ｃの回動は許容されるようになっている。従って、傾斜調整部材２６に微調整部材４１を配設した状態で、該微調整部材４１を正逆方向へ回転することが可能に構成される。また傾斜調整部材２６には、前述したと同様に、規制溝部４３を画成する後側の面から前記挟持部２８までに延在する孔部３２が形成されており、微調整部材４１の螺子孔部４１ａに挿通された前記ガイド部材１７の軸部１９が、該孔部３２に挿通されるようになっている。
【００４１】
また、前記傾斜調整部材２６の材質（例えば真鍮）に対し、前記微調整部材４１の材質（例えば鉄）は硬いもの（摩擦係数が異なるもの）に設定され、該微調整部材４１と傾斜調整部材２６との接触部分において両部材２６，４１が擦れる際には、傾斜調整部材側が摩耗するよう構成される。これにより、前記外枠Ａの角度調整に際して微調整部材４１を回動した際に、該微調整部材４１と傾斜調整部材２６との接触面が研磨されて滑らかとなるために円滑な回動が損なわれることはない。
【００４２】
前述した第３実施例に係る取付装置１０においても、前記外枠Ａに配設したガイド部材１７の螺子部４０を微調整部材４１の螺子孔部４１ａに螺合すると共に、前記軸部１９を孔部３２に挿通したもとで、該微調整部材４１を回動することで、螺子部４０と螺子孔部４１ａとの螺合作用に基づいて、孔部３２に対する軸部１９の挿入量が可変する。すなわち、第３実施例に係る取付装置１０は、前述した第２実施例に係る取付装置１０と同様の作用効果を奏する。
【００４３】
【変更例】
前記各実施例における第１の固定手段としては、図示例のものに限定されるものではなく、例えば傾斜調整部材に螺設したネジ穴に、取付部材側からネジを螺挿して締付けることで位置決め固定する構成等、その他各種の構成を採用することができる。また、前記第２および第３実施例に係る第２の固定手段としても、図示例のものに限定されるものでなく、螺子孔部に挿通された軸部を傾斜調整部材に対して位置決め固定し得るものであれば、その他の構成を適宜に採用し得る。
【００４４】
【発明の効果】
以上説明した如く、請求項１の発明に係る遊技機の取付装置によれば、設置枠台に配設された取付部材に対して、外枠の上部側が固定された傾斜調整部材を前後方向に角度調整するだけで、外枠を設置枠台に対して簡単に傾斜姿勢で取付けることができる。また、この角度調整に際して傾斜調整部材は取付部材に対して回動可能であるから、取付部材や傾斜調整部材等に無理な力が加わることなく、円滑な角度調整を行ない得る。
【００４５】
また、請求項２の発明に係る取付装置では、前記取付部材に回動可能に配設した傾斜調整部材の孔部に、外枠に配設したガイド部材の軸部を挿脱可能に挿通することで両者を組付けたから、外枠の角度調整に際しては傾斜調整部材が取付部材に対して回動すると共に、孔部に対して軸部が進退移動するから、ガイド部材、取付部材および傾斜調整部材等に無理な力が加わることなく、円滑な角度調整が達成される。
【００４６】
更に、請求項３の発明に係る取付装置では、前記傾斜調整部材に配設した微調整部材の螺子孔部にガイド部材の螺孔部を螺合するよう構成したから、微調整部材を正逆回転することで外枠の傾斜角度を簡単に調整することができ、角度調整作業が容易となる。なお、請求項４の発明に係る取付装置では、ガイド部材の軸部に付した目盛を利用することで、外枠の角度調整作業が更に容易となる。
【図面の簡単な説明】
【図１】本発明の第１実施例に係る取付装置が配設された外枠と設置枠台とを設置前の状態で示す概略斜視図である。
【図２】第１実施例に係る取付装置が実施されるパチンコ機を示す正面図である。
【図３】第１実施例に係る取付装置の取付部材とガイド部材とを取付け前の状態で示す概略斜視図である。
【図４】第１実施例に係る取付装置の取付部材と傾斜調整部材とを分解状態で示す概略斜視図である。
【図５】第１実施例に係る取付装置の傾斜調整部材を示すものであって、（ａ）は側面図、（ｂ）は正面図、（ｃ）は背面図、（ｄ）は底面図である。
【図６】第１実施例に係る取付装置を介して設置枠台に外枠を組付けた状態を示す要部縦断側面図である。
【図７】第１実施例に係る取付装置を介して設置枠台に組付けた外枠を傾斜させた状態を示す要部縦断側面図である。
【図８】第１実施例に係る取付装置を介して設置枠台に外枠を組付けた状態を示す概略斜視図である。
【図９】第２実施例に係る取付装置を示す分解斜視図である。
【図１０】第２実施例に係る取付装置の微調整部材を断面状態で示す斜視図である。
【図１１】第３実施例に係る取付装置の一部を示す分解斜視図である。
【符号の説明】
１１　設置枠台
１７　ガイド部材
１９　軸部
２０　目盛
２２　取付部材
２６　傾斜調整部材
２９　固定用ネジ（固定手段，第１の固定手段）
３０　ナット（固定手段，第１の固定手段）
３２　孔部
３５　固定具（第２の固定手段）
３６　微調整部材
３６ａ　螺子孔部
４０　螺子部
４１　微調整部材
４１ａ　螺子孔部
Ａ　外枠
Ｐ　パチンコ機（遊技機）
【図１】
2004135974.tif 000003
【図２】
2004135974.tif 000004
【図３】
2004135974.tif 000005
【図４】
2004135974.tif 000006
【図５】
2004135974.tif 000007
【図６】
2004135974.tif 000008
【図７】
2004135974.tif 000009
【図８】
2004135974.tif 000010
【図９】
2004135974.tif 000011
【図１０】
2004135974.tif 000012
【図１１】
2004135974.tif 000013